【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
軸受のいずれか一方の軌道輪に固着され、当該軌道輪に嵌合する筒部と当該筒部の側端から径方向に延設された環状部とを有するスリンガーと、
前記軸受のいずれか他方の軌道輪に固着され、前記スリンガーの筒部の内面あるいは環状部の内面に摺接する少なくとも一枚のリップを有する弾性シールと
を構成要素とするハブユニット用転がり軸受のパックシールであって、
複数のハブユニット用転がり軸受のパックシールを同一方向に積み重ねた際におけるハブユニット用転がり軸受のパックシール間の接触面積を減少させるべく、前記リップの一枚における摺接部位を除く一部分には他のハブユニット用転がり軸受のパックシールのスリンガーの外面に当接する凸部が形成されたことを特徴とするハブユニット用転がり軸受のパックシール。
【請求項２】
前記凸部には他のハブユニット用転がり軸受のパックシールのスリンガーに当接する平坦面が形成されたことを特徴とする、請求項１記載のハブユニット用転がり軸受のパックシール。
【請求項３】
軸受のいずれか一方の軌道輪に固着され、当該軌道輪に嵌合する筒部と当該筒部の側端から径方向に延設された環状部とを有するスリンガーと、
前記軸受のいずれか他方の軌道輪に固着され、前記スリンガーの筒部の内面あるいは環状部の内面に摺接する少なくとも一枚のリップを有する弾性シールと
を構成要素とするハブユニット用転がり軸受のパックシールであって、
複数のハブユニット用転がり軸受のパックシールを同一方向に積み重ねた際におけるハブユニット用転がり軸受のパックシール間の接触面積を減少させるべく、前記弾性シールには他のハブユニット用転がり軸受のパックシールのスリンガーの外面に当接する平坦面を有する凸部が形成されたことを特徴とするハブユニット用転がり軸受のパックシール。
【請求項４】
軸受のいずれか一方の軌道輪に固着され、当該軌道輪に嵌合する筒部と当該筒部の側端から径方向に延設された環状部とを有するスリンガーと、
前記軸受のいずれか他方の軌道輪に固着され、前記スリンガーの筒部の内面あるいは環状部の内面に摺接する少なくとも一枚のリップを有する弾性シールと
を構成要素とするハブユニット用転がり軸受のパックシールであって、
複数のハブユニット用転がり軸受用シールを同一方向に積み重ねた際におけるハブユニット用転がり軸受のパックシール間の接触面積を減少させるべく、前記弾性シールに他のハブユニット用転がり軸受のパックシールのスリンガーの外面に対峙する凹部が形成されたことを特徴とするハブユニット用転がり軸受のパックシール。
【手続補正２】
【補正対象書類名】明細書
【補正対象項目名】０００１
【補正方法】変更
【補正の内容】
【０００１】
【発明の属する技術分野】
本発明は、ハブユニット用転がり軸受のパックシールに係り、積層時におけるハブユニット用転がり軸受のパックシール間のブロッキング現象を抑制し、搬送や自動装着装置によるハンドリングの円滑化を実現する技術に関する。
【手続補正３】
【補正対象書類名】明細書
【補正対象項目名】０００５
【補正方法】変更
【補正の内容】
【０００５】
【発明が解決しようとする課題】
従来のパックシールでは、潤滑用グリースが充填された状態で保管されること等に起因し、以下のような不具合が発生することがあった。すなわち、比較的長期間保管された場合、パックシールから潤滑用グリースが漏洩して他のパックシールとの接触面に進入する。この場合、潤滑用グリースの表面張力により、パックシール同士が固着するいわゆるブロッキング現象が発生する虞があった。また、潤滑用グリースが充填されていない場合にも、弾性シールに混入された高分子剤が滲み出て、潤滑用グリースの場合より更に強いブロッキング現象が生じることがあった。
【手続補正４】
【補正対象書類名】明細書
【補正対象項目名】０００８
【補正方法】変更
【補正の内容】
【０００８】
本発明は、上記状況に鑑みなされたもので、積層時におけるハブユニット用転がり軸受のパックシール間のブロッキング現象を抑制し、搬送や自動装着装置によるハンドリングの円滑化を実現したハブユニット用転がり軸受のパックシールを提供することを目的とする。
【手続補正５】
【補正対象書類名】明細書
【補正対象項目名】０００９
【補正方法】変更
【補正の内容】
【０００９】
【課題を解決するための手段】
そこで、上記課題を解決するべく、請求項１の発明では、軸受のいずれか一方の軌道輪に固着され、当該軌道輪に嵌合する筒部と当該筒部の側端から径方向に延設された環状部とを有するスリンガーと、前記軸受のいずれか他方の軌道輪に固着され、前記スリンガーの筒部の内面あるいは環状部の内面に摺接する少なくとも一枚のリップを有する弾性シールとを構成要素とするハブユニット用転がり軸受のパックシールであって、複数のハブユニット用転がり軸受のパックシールを同一方向に積み重ねた際におけるハブユニット用転がり軸受のパックシール間の接触面積を減少させるべく、前記リップの一枚における摺接部位を除く一部分には他のハブユニット用転がり軸受のパックシールのスリンガーの外面に当接する凸部が形成されたものを提案する。
【手続補正６】
【補正対象書類名】明細書
【補正対象項目名】００１０
【補正方法】変更
【補正の内容】
【００１０】
また、請求項２の発明では、請求項１のハブユニット用転がり軸受のパックシールにおいて、前記凸部には他のハブユニット用転がり軸受のパックシールのスリンガーに当接する平坦面が形成されたものを提案する。
【手続補正７】
【補正対象書類名】明細書
【補正対象項目名】００１１
【補正方法】変更
【補正の内容】
【００１１】
また、請求項３の発明では、軸受のいずれか一方の軌道輪に固着され、当該軌道輪に嵌合する筒部と当該筒部の側端から径方向に延設された環状部とを有するスリンガーと、前記軸受のいずれか他方の軌道輪に固着され、前記スリンガーの筒部の内面あるいは環状部の内面に摺接する少なくとも一枚のリップを有する弾性シールとを構成要素とするハブユニット用転がり軸受のパックシールであって、複数のハブユニット用転がり軸受のパックシールを同一方向に積み重ねた際におけるハブユニット用転がり軸受のパックシール間の接触面積を減少させるべく、前記弾性シールには他のハブユニット用転がり軸受のパックシールのスリンガーの外面に当接する平坦面を有する凸部が形成されたものを提案する。
【手続補正８】
【補正対象書類名】明細書
【補正対象項目名】００１２
【補正方法】変更
【補正の内容】
【００１２】
また、請求項４の発明では、軸受のいずれか一方の軌道輪に固着され、当該軌道輪に嵌合する筒部と当該筒部の側端から径方向に延設された環状部とを有するスリンガーと、前記軸受のいずれか他方の軌道輪に固着され、前記スリンガーの筒部の内面あるいは環状部の内面に摺接する少なくとも一枚のリップを有する弾性シールとを構成要素とするハブユニット用転がり軸受のパックシールであって、複数のハブユニット用転がり軸受のパックシールを同一方向に積み重ねた際におけるハブユニット用転がり軸受のパックシール間の接触面積を減少させるべく、前記弾性シールに他のハブユニット用転がり軸受のパックシールのスリンガーの外面に対峙する凹部が形成されたものを提案する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００２８
【補正方法】変更
【補正の内容】
【００２８】
【発明の効果】
以上述べたように、本発明に係るハブユニット用軸受用のパックシールによれば、軸受のいずれか一方の軌道輪に固着され、当該軌道輪に嵌合する筒部と当該筒部の側端から径方向に延設された環状部とを有するスリンガーと、前記軸受のいずれか他方の軌道輪に固着され、前記スリンガーの筒部の内面あるいは環状部の内面に摺接する少なくとも一枚のリップを有する弾性シールとを構成要素とするハブユニット用転がり軸受のパックシールであって、複数のハブユニット用転がり軸受のバックシールを同一方向に積み重ねた際におけるハブユニット用転がり軸受のパックシール間の接触面積を減少させるべく、弾性シールに他の転がり軸受のパックシールのスリンガーの外面に当接する凸部や当該外面に対峙する凹部を形成するようにしたため、軸受用シールが固着する原因となるブロッキング現象が起こり難くなり、自動装着装置供給用マガジン内でのパックシールの引っ掛かりによる供給不能や、自動装着装置自体の作動不能が効果的に防止され、シール付軸受やハブユニット軸受の製造が円滑に行われる。